(57)【要約】【課題】  発光作用が比較的に穏和であり、利用者に不安感を惹起させることがなく、意匠性を保有させることもでき、暖かい有機質感をも惹起させることができる蓄光性テープ及びシートを提供する。【解決手段】  蓄光顔料を含有するインキを合成樹脂製テープ又はシート３の一面にパターン印刷することによって蓄光性テープ及びシート１を構成する。さらに、合成樹脂製テープ又はシート３の他面に粘着剤を塗布してもよい。パターン印刷の印刷方式としてスクリーン印刷を採用し、印刷パターンとして星空模様を採用するのが好ましい。【選択図】              図１
2007219104.tif 000002
【特許請求の範囲】
【請求項１】
蓄光顔料を含有するインキを合成樹脂製テープの一面にパターン印刷したことを特徴とする蓄光性テープ。
【請求項２】
前記合成樹脂製テープの他面に粘着剤を塗布したことを特徴とする請求項１に記載の蓄光性テープ。
【請求項３】
前記インキは、さらに蛍光顔料を含有するものであることを特徴とする請求項１又は２に記載の蓄光性テープ。
【請求項４】
前記パターン印刷の印刷方式は、スクリーン印刷であることを特徴とする請求項１乃至３何れか１項に記載の蓄光性テープ。
【請求項５】
前記印刷パターンは、星空模様であることを特徴とする請求項１乃至４何れか１項に記載の蓄光性テープ。
【請求項６】
前記合成樹脂製テープに代えて合成樹脂製シートに印刷したことを特徴とする請求項１乃至５何れか１項に記載の蓄光性シート。
【発明の詳細な説明】
【技術分野】
【０００１】
本発明は、適宜場所、物体等に貼着され、夜間等において発光する蓄光性テープ及びシートに関する。
【背景技術】
【０００２】
例えば、住宅、病院、学校等の建築物に設置される階段にあっては、それ程明るい照明が設置させていない場合が多いため、夜間において、踏板の位置が確認し難く、階段を上り下りするには注意する必要があり、十分に注意していないと、踏板を踏み外して転げ落ちる虞があった。
又、停電が発生した場合には、踏板の位置どころか、階段そのものの存在すら確認できなくなるため、階段を上り下りするのが困難になったり、踏板を踏み外して転げ落ち、大怪我をする虞もあった。
【０００３】
そこで、従来、階段の手摺、踏板等の一部に蓄光性テープ又はシートを貼着し、夜間又は停電が発生した場合に、手摺、踏板等の一部が発光するようにして、階段の存在を明確にし、踏板の位置を確認し易くするようにして、踏板を踏み外すことなく、確実に上り下りできるようにしていた。
【０００４】
このような蓄光性テープ又はシートとして、従来、蓄光顔料を含有する合成樹脂材料から成形してなるテープの裏面に粘着剤を塗布したもの（例えば、特許文献１参照。）、合成樹脂製テープ又はシートの表面に蓄光塗液を塗布すると共に裏面に粘着剤を塗布したもの（例えば、特許文献２参照。）が知られている。
【０００５】
【特許文献１】特開平０９−０７１７５６号公報
【特許文献２】特開平１１−２４１０５２号公報
【発明の開示】
【発明が解決しようとする課題】
【０００６】
しかし、従来の蓄光性テープ又はシートにあっては、表面全体に一様に、いわゆるベタ状態で、蓄光顔料が含有されていたり、蓄光塗液が塗布されていたから、蓄光性テープ又はシートを手摺、踏板等の一部に貼着した場合に、発光作用は比較的に強烈であり、利用者に不安感を惹起させるものであった。又、表面全体に一様に発光するため、冷たい無機質感を惹起させるものであった。
【０００７】
本発明は、かかる従来の問題点に鑑みて為されたものであり、発光作用が比較的に穏和であり、利用者に不安感を惹起させることがなく、意匠性を保有させることもでき、暖かい有機質感をも惹起させることができる蓄光性テープ及びシートを提供することを目的とする。
【課題を解決するための手段】
【０００８】
上記目的を達成するため、本発明の蓄光性テープ及びシートは、蓄光顔料を含有するインキを合成樹脂製テープ又はシートの一面にパターン印刷してなることを特徴とする。
【０００９】
さらに、前記合成樹脂製シートの他面に粘着剤を塗布して蓄光性テープ及びシートを構成してもよい。
【００１０】
又、前記インキは、さらに、蛍光顔料を含有するものであってもよい。
【００１１】
前記パターン印刷の印刷方式としては、スクリーン印刷を採用するのが好ましい。
【００１２】
又、印刷パターンとしては、星空模様を採用するのが好ましい。
【発明を実施するための最良の形態】
【００１３】
以下、本発明の蓄光性テープ及びシートの好適な実施形態について、図面を参照して具体的に説明する。
尚、本発明においては、テープとは、比較的に幅が狭く、長さが長い帯状のものを意味し、シートとは、比較的に縦横が広い板状のものを意味するものとする。
【００１４】
本発明の蓄光性テープ及びシート１は、図１及び２に示すように、蓄光材層２、基材層３、粘着剤層４及び剥離紙５から構成される。
【００１５】
蓄光材層２は、蓄光顔料を含有するインキを基材層３の一面にパターン印刷して形成したものである。
【００１６】
蓄光顔料は、昼間において、太陽光線等から光エネルギーを吸収、蓄積しておき、夜間において、蓄積した光エネルギーを放出することによって発光する顔料であり、アルミン酸ストロンチューム、ユーロピュームジスプロシューム等を成分とするものを使用することができる。
又、本実施例においては、蓄光顔料の粒径として、１〜５μｍ、特には２〜４μｍのものを使用するのが好ましい。
尚、蓄光顔料には、さらに、酸化チタン、カーボンブラック等の着色剤を添加させてもよい。
【００１７】
本実施例においては、インキとして紫外線硬化型インキを使用しており、インキの主成分は、前記蓄光顔料に加えて、光重合性プレポリマー、光重合性モノマー及び光重合開始剤である。
【００１８】
光重合性プレポリマーは、紫外線硬化樹脂の主成分であって、エポキシアクリレート、ウレタンアクリレート、不飽和ポリエステル等を使用することができる。
光重合性モノマーは、樹脂の粘度調整をする反応性希釈剤であって、アクリル酸エステル、メタクリル酸エステル、メチレンビスアクリルアマイド、ペンタエリスリトールジアクリレート等を使用することができる。
光重合開始剤は、紫外線を照射されると光重合反応を開始する化合物であって、カルボニル化合物、イオウ化合物、アゾ化合物等を使用することができる。
【００１９】
本実施例においては、インキの各成分の重量比は、好適なものとして、蓄光顔料を約４０部、光重合性プレポリマーを約４０部、光重合性モノマーを約２０部のものを採用したが、これに限定されるものではない。
【００２０】
基材層３は、蓄光顔料を含有するインキを担持するものであって、ポリエチレン、ポリプロピレン、ポリエチレンテレフタレート等の合成樹脂製フィルムから構成される。
合成樹脂製フィルムの膜厚としては、１０〜５００μｍ、特には２０〜１００μｍのものを使用するのが好ましい。
【００２１】
粘着剤層４は、蓄光材層２及び基材層３を適宜場所、物体に貼着する役割を果たすものであって、アクリル樹脂系、シリコーン樹脂系等の有機粘着剤から構成される。
尚、蓄光性テープ及びシート１の使用時に粘着剤を塗布する場合には、予め粘着剤層４を形成しておく必要はなく、剥離紙５も不要である。
【００２２】
本発明の蓄光性テープ及びシート１を製造するには、先ず、基材層３を構成する前記合成樹脂製フィルムの一面に前記蓄光顔料を含有するインキをパターン印刷する。
ここで、印刷方式としては、グラビア印刷、オフセット印刷、スクリーン印刷等を採用することができるが、特には、スクリーン印刷を採用するのが好ましい。
スクリーン印刷によれば、インキの膜厚を１０〜３０μｍ程度と厚くすることが可能であり、それだけ発光輝度を高く、残光時間を長くすることができるので、好ましい。
【００２３】
次に、蓄光顔料を含有するインキをパターン印刷した合成樹脂製フィルムに高圧水銀ランプ等によって紫外線を照射する。
これによって、蓄光顔料を含有するインキは、瞬時に、すなわち０．１〜０．５秒程度で硬化し、基材層３の一面にパターン印刷された蓄光材層２が形成され、本発明の蓄光性テープ及びシート１が製造される。
【００２４】
本実施例においては、印刷パターンとして星空模様を採用している。ここで、星空模様とは、図１に示すように、蓄光顔料を含有するインキが固化した蓄光材ａが基材層３上に点状に散在している模様を意味する。
この印刷パターンを採用すれば、図３に示すように、階段１１の手摺１２、踏板１３等の一部に蓄光性テープ又はシート１を貼着しておけば、夜間又は停電が発生した場合に、手摺、踏板等の一部が発光するから、階段１１の存在は明確となり、踏板１３の位置を確認し易く、踏板１３を踏み外すこともなく、確実に上り下りすることができる。
しかも、蓄光材ａが基材層３上に点状に散在しているため、発光作用が比較的に穏和であり、利用者に不安感を惹起させることはなく、意匠性をも保有しており、暖かい有機質感をも惹起させることができる。
【００２５】
尚、印刷パターンとしては、前記星空模様に限定されるものではなく、適宜文字パターン、記号パターンとしてもよく、さらには、子供等に好まれるキャラクターの図案を採用してもよい。
【００２６】
又、本発明の蓄光性テープ及びシート１は、基材層３を構成する合成樹脂製フィルムの一面に蓄光顔料を含有するインキをパターン印刷したものであり、インキが付着し、固化した部分、すなわち、蓄光材ａが存在する部分だけ、微小ながらも凸部が形成されることになる。
よって、盲目者、弱視者等にとっては、蓄光性テープ又はシート１の表面を手で触れることによって、階段１１の手摺１２等が存在することを容易に認識できるという効果も奏する。
【００２７】
本発明の蓄光性テープ及びシート１によれば、幅２ｃｍ程度の細長い蓄光性テープ１から、縦９０ｃｍ、横１８０ｃｍ程度の大面積の蓄光性シート１を提供することができる。
【００２８】
上記実施例においては、蓄光性テープ又はシート１を階段１１の手摺１２、踏板１３等の一部に貼着する場合について説明したが、これらに限らず、適宜場所、物体等に貼着することができ、その場合にも、上記と同様の作用、効果を奏する。
【００２９】
さらには、前記蓄光顔料を含有するインキは、さらに蛍光顔料を含有するものであってもよい。
蛍光顔料は、紫外線が当たった時に可視光を発する顔料であって、カルシウム、バリウム、マグネシウム、カドミウム等の酸化物、硫化物、珪酸塩、燐酸塩、タングステン酸塩等を主成分とするものを使用することができる。
【００３０】
蓄光顔料に加えて蛍光顔料を含有するインキを使用すれば、夜間又暗所において、より鮮明な発光を期待することができる。
【図面の簡単な説明】
【００３１】
【図１】本発明の蓄光性シートの平面図である。
【図２】本発明の蓄光性シートの断面図である。
【図３】本発明の蓄光性テープ又はシートを貼着した階段の外観斜視図である。
【符号の説明】
【００３２】
１  蓄光性テープ及びシート
２  蓄光材層
３  基材層
４  粘着剤層
ａ  蓄光材
【図１】
2007219104.tif 000003
【図２】
2007219104.tif 000004
【図３】
2007219104.tif 000005